(57)【要約】    【課題】  操縦席や操作パネルの取付困難、保管・管理の困難性。    【構成】  走行装置２により走行するコンバインの機体に、該機体の各部を操作する作業者が着座しうる操縦席１７を有する操縦部１０を設け、前記操縦席１７は、機体に設けた操縦席昇降手段１５に対して前後移動調節可能なアジャスター手段１６のシート側レール２３に取付け、前記操縦席１７の右側の前記シート側レール２３にはステー２２を介して操作パネル２０を取付ける。前記操作パネル２０は前後方向に長い箱形状に形成し、該操作パネル２０の上面には機体に設けた穀粒貯留装置５内の穀粒の排出作業に関連した操作レバーやスイッチ等を設けると共に、操作パネル２０の最後部部分に穀粒貯留装置５内の穀粒を排出する穀粒排出オーガ７の先端排出口３０の上下および左右旋回の操作信号を出力するオーガ操作レバー３１を設ける。【選択図】    図２
2006025761.tif 000002
【特許請求の範囲】
【請求項１】
走行装置２により走行する機体に、該機体の各部を操作する作業者が着座しうる操縦席１７を有する操縦部１０を設け、前記操縦席１７は、機体に設けた操縦席昇降手段１５に対して前後移動調節可能なアジャスター手段１６のシート側レール２３に取付け、前記操縦席１７の右側の前記シート側レール２３にはステー２２を介して操作パネル２０を取付けたコンバインの操縦部。
【請求項２】
請求項１において、前記操作パネル２０は前後方向に長い箱形状に形成し、該操作パネル２０の上面には機体に設けた穀粒貯留装置５内の穀粒の排出作業に関連した操作レバーやスイッチ等を設けると共に、操作パネル２０の最後部部分に穀粒貯留装置５内の穀粒を排出する穀粒排出オーガ７の先端排出口３０の上下および左右旋回の操作信号を出力するオーガ操作レバー３１を設けたコンバインの操縦部。
【請求項３】
請求項２において、前記オーガ操作レバー３１を設けた部分の操作パネル２０の上面は、所定角前下がり傾斜の傾斜取付面４５に形成したコンバインの操縦部。
【請求項４】
請求項２において、前記操作パネル２０の上面は略水平とし、前記オーガ操作レバー３１を上下中途部分で前方に屈曲させて設けたコンバインの操縦部。
【発明の詳細な説明】
【技術分野】
【０００１】
本発明は、コンバインの操縦部に関するものである。
【背景技術】
【０００２】
従来より、コンバイン等の作業車両においては、操縦者が着座する操縦席近傍に変速レバー等の操作装置を備えている。そして、操縦席と操縦席の左右両側の操作パネルとを単一の連結フレームにより一体化し、操縦席を昇降させることで連結された部材が全て一体的に昇降する構成も公知である（特許文献１）。
【特許文献１】特開平５−２９２８２９号公報
【発明の開示】
【発明が解決しようとする課題】
【０００３】
前記公知例は、操縦席と操縦席の左右両側の操作パネルとを単一の連結フレームにより一体化し、操縦席と共に左右の操作パネルを一体的に昇降させる構成であるが、具体的な一体化構成が不明であり、また、操縦席と共に左右の操作パネルを連結フレームに取付けるとすると、取付順序や操作パネルと各部の接続が複雑面倒であるという課題がある。
本願は、操縦席と操作パネルを一体的に移動させる構成でありながら、操作パネルの取付を容易にしたものである。
【課題を解決するための手段】
【０００４】
本発明は、走行装置２により走行する機体に、該機体の各部を操作する作業者が着座しうる操縦席１７を有する操縦部１０を設け、前記操縦席１７は、機体に設けた操縦席昇降手段１５に対して前後移動調節可能なアジャスター手段１６のシート側レール２３に取付け、前記操縦席１７の右側の前記シート側レール２３にはステー２２を介して操作パネル２０を取付けたコンバインの操縦部としたものであり、操縦席１７は操縦席昇降手段１５により上下させ、アジャスター手段１６により前後して位置調節を行い、シート側レール２３に取付けた操作パネル２０は操縦席１７と共に上下および前後に位置調節される。
本発明は、前記操作パネル２０は前後方向に長い箱形状に形成し、該操作パネル２０の上面には機体に設けた穀粒貯留装置５内の穀粒の排出作業に関連した操作レバーやスイッチ等を設けると共に、操作パネル２０の最後部部分に穀粒貯留装置５内の穀粒を排出する穀粒排出オーガ７の先端排出口３０の上下および左右旋回の操作信号を出力するオーガ操作レバー３１を設けたコンバインの操縦部としたものであり、例えば、操作パネル２０の前側に設けたメインスイッチ３２によりエンジンを始動して排出作業可能状態とし、操作パネル２０のオーガ操作レバー３１およびズームスイッチ３６により先端排出口３０の位置調節操作を行い、次に、穀粒排出スイッチ３８により穀粒貯留装置５内の穀粒の排出作業を開始し、作業が終了すると、穀粒排出オーガ７を格納する。
本発明は、前記オーガ操作レバー３１を設けた部分の操作パネル２０の上面は、所定角前下がり傾斜の傾斜取付面４５に形成したコンバインの操縦部、および、前記操作パネル２０の上面は略水平とし、前記オーガ操作レバー３１を上下中途部分で前方に屈曲させて設けたコンバインの操縦部としたものであり、例えば、オーガ操作レバー３１を前後に傾倒させると、穀粒排出オーガ７の先端排出口３０を上下させ、オーガ操作レバー３１を左に傾倒させると左回り、オーガ操作レバー３１を右に傾倒させると右回りさせる。
【発明の効果】
【０００５】
請求項１の本発明では、操作パネル２０をアジャスター手段１６のシート側レール２３に取付けているので、操縦席１７と一緒または別々に取付可能となり、取付作業の選択の自由度を向上させて、取付作業を容易にできる。
請求項２の本発明では、操作パネル２０の後側部分にオーガ操作レバー３１を設けているので、オーガ操作レバー３１が他のスイッチ操作の邪魔にならず、また、着座者に対して操作パネル２０の前側部分を開放できて、閉塞感を与えず、作業を快適に行える。
請求項３および請求項４の本発明では、オーガ操作レバー３１のレバーグリップ４７が、オーガ操作レバー３１の基部より前方に位置するので、操作性が向上する。
【実施例１】
【０００６】
本発明の一実施例をコンバインで図により説明すると、１は機体フレーム、２は無限軌道帯式の走行装置、３は刈取装置、４は機体フレーム１の上方に設けた脱穀装置、５は穀粒貯留装置、６は穀粒揚穀装置、７は穀粒揚穀装置６の上部にその先端が縦軸旋回および上下自在となるように設けた穀粒排出オーガ、８は穀粒貯留装置５の前方に設けたエンジン部である。エンジン部８はエンジン（図示省略）をエンジンカバー９で包囲して形成し、エンジン部８の前方には操縦部１０を設ける。
前記操縦部１０において、前記エンジンカバー９の前側上部には操縦席昇降手段１５およびアジャスター手段１６を介して操縦席１７を取付ける。操縦席１７の左側部には操縦部１０のフレーム（図示省略）に固定の側部操作部１８を設ける。側部操作部１８には前記走行装置２の走行速度を変速操作する変速レバーや、前記脱穀装置４あるいは刈取装置３の駆動を入り切り操作するための脱穀クラッチレバーや刈取クラッチレバー等を設けている。
【０００７】
前記操縦席１７の右側部には、操作パネル２０を一体的に取付ける。操作パネル２０は、箱形状のボックス２１の下面にステー２２を取付け、ステー２２を前記アジャスター手段１６のうちシート側レール２３に固定状態に取付ける。
シート側レール２３は固定側レール２４に前後移動（摺動）自在に取付け、シート側レール２３と固定側レール２４の間にはシート側レール２３の前後移動を固定するロック装置（図示省略）を設ける。前記固定側レール２４は前記操縦席昇降手段１５に取付け、該操縦席昇降手段１５によりアジャスター手段１６ごと操縦席１７が上下するように取付ける。
したがって、操縦席１７は、機体に対して操縦席昇降手段１５による上下位置調節およびアジャスター手段１６による前後位置調節可能であり、操縦席１７の上下および前後移動に、操作パネル２０は追従して移動し、操作性を向上させる。
２５は操作パネル２０の上方に位置するアームレストであり、アームレスト２５は操縦席１７の右側部に設ける。２６は操縦部１０の床面（フロア）である。
【０００８】
しかして、操作パネル２０には、穀粒貯留装置５内の穀粒の排出作業に関連した操作レバーやスイッチ等を設ける。刈取作業は通常左回りにて行うので、穀粒排出は穀粒排出オーガ７を機体右側に張り出して行うことが多く、操縦席１７に対して右側の操作パネル２０に穀粒の排出作業に関連した操作レバーやスイッチ等を設けることで、作業者は操縦席１７に着座したまま排出作業操作を、排出作業を目視しながら行える。
【０００９】
この場合、操作パネル２０には、穀粒貯留装置５内の穀粒の排出作業に関連した操作レバーやスイッチ等を設けるが、操作パネル２０の最後部部分に前記穀粒排出オーガ７の先端排出口３０の上下および左右旋回の操作信号を出力するオーガ操作レバー３１を設ける。
操作パネル２０に設けた他のスイッチ等よりも高さが高いオーガ操作レバー３１を後側に配置することで、オーガ操作レバー３１が他のスイッチ操作の邪魔にならず、また、オーガ操作レバー３１が操作パネル２０の前側に存在しないことで操縦席１７の着座者に対して操作パネル２０の前側部分を開放できて、閉塞感を与えず、作業を快適に行える。
【００１０】
３２はエンジンの駆動を入り切りさせるメインスイッチ、３３は警笛として使用しうるホーンスイッチ、３４は前照灯の入り切りおよび高さ切替スイッチ（ロー＆ハイ）、３５は方向指示器（ウィンカ）、３６は伸縮自在に構成した穀粒排出オーガ７の場合に伸縮させるズームスイッチであり、実施例では先端排出口３０の向きを変更するスイングスイッチとしても兼用している（先端排出口３０を左右方向に移動させてもよい）。
【００１１】
即ち、図６のように先端排出口３０の向きを変更させて、タンク内に穀粒を均等に排出するようにしたり、あるいは、図７や図８の先端排出口３０を上向きにして穀粒が零れるのを防止する。
３８は穀粒排出スイッチ、３９は自動旋回スイッチであり、例えば、一方に押すと穀粒排出オーガ７を格納位置から排出位置へ旋回させて張出し、他方へ押すと排出位置から格納位置へ旋回させて格納し、一方の張出位置と他方の格納位置の中間状態で押すと穀粒排出オーガ７を旋回させて先端排出口３０の位置を調節する。４０は張出位置まで自動旋回させるようにしたときの張出し位置を調節する張出位置調節ダイヤル、４１は穀粒排出オーガ７の排出あるいは旋回等を停止させるオーガ停止スイッチである。
また、前記各スイッチ類の配置は任意であり、図９、図１０は、スイッチ配置についての他の実施例図である。
【００１２】
また、前記オーガ操作レバー３１を設けた部分の操作パネル２０の上面は、所定角度の前下がり傾斜の傾斜取付面４５に形成し（図１１）、オーガ操作レバー３１が上方に至るに従い前側に位置して傾斜するように構成する。なお、操作パネル２０の前側部分は略水平または傾斜取付面４５より緩い前下がり傾斜に形成すればよい。
このようにすると、オーガ操作レバー３１のレバーグリップ４７が、オーガ操作レバー３１の基部より前方に位置するので、操作性が向上する。
【００１３】
また、図１２は、オーガ操作レバー３１の他の実施例に関するものであり、操作パネル２０のオーガ操作レバー３１を設けた部分は略水平の取付面に形成し、オーガ操作レバー３１の上下中途部分に前方に屈曲させた屈曲部４６を形成し、レバーグリップ４７がオーガ操作レバー３１の基部より前方に位置するように構成して、操作性を向上させている。したがって、オーガ操作レバー３１の製造・加工で安価に操作性を向上させている。
即ち、レバーグリップ４７の軸心線Ｓをオーガ操作レバー３１の基部に対して所定角前傾するように屈曲させている。
【００１４】
しかして、オーガ操作レバー３１より前側の操作パネル２０には穀粒貯留装置５内の穀粒の排出作業に関連したスイッチ等を設け、操作パネル２０の前側所望部分には無線操作リモコン４８を収納しうるリモコン収納部４９を設ける（図７の一点鎖線の表示部分）。リモコン収納部４９は例えば凹溝形状に形成してリモコン収納部４９に無線操作リモコン４８を収納した状態でも目視および／または操作可能に構成する。
即ち、例えば、前記穀粒貯留装置５内の穀粒の排出作業等の作業を、無線操作可能に構成し、この作業を操作する無線操作リモコン４８を操作パネル２０のリモコン収納部４９に収納する。
【００１５】
したがって、操作パネル２０とリモコン収納部４９を合成樹脂で一体成形すると、低コスト・省スペースとなり、好適である。また、操縦席１７に着座した状態のみならず、操縦席１７から降りた状態でも無線操作リモコン４８により作業操作を行える。
前記無線操作リモコン４８の構成は、任意であるが、一例を示すと、穀粒排出オーガ７を伸縮およびスイングさせるズームスイングスイッチ３６と、穀粒の排出を入り切りさせる穀粒排出スイッチ３８と、自動旋回スイッチ３９を設けている（図１４）。
【００１６】
また、ズームスイッチ３６の一部は先端排出口３１の左右方向の位置合わせするように、先端排出口３１の左右動させるようにも構成している。
なお、理解を容易にするため操作パネル２０の各スイッチと同一符号付しているが、これにより構成が限定されるものではない。
【図面の簡単な説明】
【００１７】
【図１】コンバインの側面図。
【図２】操縦部の側面図。
【図３】操縦部の側面図。
【図４】同平面図。
【図５】操作パネルの平面図。
【図６】排出口のスイング状態説明図。
【図７】排出口のスイング状態説明図。
【図８】排出口のスイング状態説明図。
【図９】他の実施例の操作パネルを設けた操縦部の平面図。
【図１０】同操作パネルの平面図。
【図１１】オーガ操作レバーの実施例の側面図。
【図１２】オーガ操作レバーの他の実施例の側面図。
【図１３】他の実施例の操作パネルの平面図。
【図１４】無線操作リモコンの一実施例平面図。
【符号の説明】
【００１８】
１…機体フレーム、２…走行装置、３…刈取装置、４…脱穀装置、５…穀粒貯留装置、６…穀粒揚穀装置、７…穀粒排出オーガ、８…エンジン部、９…エンジンカバー、１０…操縦部、１５…操縦席昇降手段、１６…アジャスター手段、１７…操縦席、１８…側部操作部、２０…操作パネル、２１…ボックス、２２…ステー、２３…シート側レール、２４…固定側レール、３０…先端排出口、３１…オーガ操作レバー、３２…メインスイッチ、３６…ズームスイッチ、３８…穀粒排出スイッチ、３９…自動旋回スイッチ、４０…張出位置調節ダイヤル、４５…傾斜取付面、４７…レバーグリップ、４８…無線操作リモコン、４９…リモコン収納部。
【図１】
2006025761.tif 000003
【図２】
2006025761.tif 000004
【図３】
2006025761.tif 000005
【図４】
2006025761.tif 000006
【図５】
2006025761.tif 000007
【図６】
2006025761.tif 000008
【図７】
2006025761.tif 000009
【図８】
2006025761.tif 000010
【図９】
2006025761.tif 000011
【図１０】
2006025761.tif 000012
【図１１】
2006025761.tif 000013
【図１２】
2006025761.tif 000014
【図１３】
2006025761.tif 000015
【図１４】
2006025761.tif 000016